(57)【要約】      （修正有）【課題】安定的に挟持できる３Ｄ眼鏡を提供する。【解決手段】中間部を含み、中間部の中には押し装置１０１が設置され、押し装置１０１の左右両側には伸展装置１０２が対称的に設置され、中間部の左右両側には挟み装置１０３が対称的に設置され、押し装置１０１は中間部の中に設置された昇降チャンバを含み、昇降チャンバの中には昇降ブロックがスライドできるように設置され、昇降ブロックの下端面の左右両端には第一斜面が設置され、眼鏡の上下両端をきつく挟むことができ、眼鏡にしっかりと挟持され、落ちることを避け、同時に使用も便利である。【選択図】図１
2020184056.tif 000002
【特許請求の範囲】
【請求項１】
正面視で、中間部を含み、前記中間部の中には押し装置が設置され、前記押し装置の左右両側には伸展装置が対称的に設置され、前記中間部の左右両側には挟み装置が対称的に設置され、手動で前記押し装置を押し、また前記伸展装置により前記挟み装置を連動させて上下両側へ分け、そして前記挟み装置により眼鏡の上下両端をきつく挟み、前記押し装置は前記中間部の中に設置された昇降チャンバを含み、前記昇降チャンバの中には昇降ブロックがスライドできるように設置され、前記昇降ブロックの下端面の左右両端には第一斜面が設置され、前記昇降ブロックの下端の中間と前記昇降チャンバの下壁との間には押圧ばねが固定的に連結され、前記昇降チャンバの上壁には上方へ開口した開口チャンバが連通するように設置され、前記昇降ブロックの上端には前記開口チャンバを通過している固定ロッドが固定的に設置され、前記固定ロッドの上端が外部空間まで伸びており、且つ前記固定ロッドの上端にはボタンが固定的に設置され、前記昇降チャンバの左右両側の内壁にはスライドチャンバが対称的に連通するように設置され、前記スライドチャンバの中には推しロッドがスライドできるように設置され、前記推しロッドの相対した一端が前記昇降チャンバの中まで伸びており、且つ前記推しロッドの相対した一端には前記第一斜面と傾斜度が同じである第二斜面が設置され、前記第一斜面は下降すると前記第二斜面に当接して且つ前記推しロッドを推し動かすことができることを特徴とする安定的に挟持できる３Ｄ眼鏡。
【請求項２】
前記伸展装置は前記推しロッドのうち中心から離れている一端に固定的に設置された固定ブロックを含み、前記固定ブロックの前後両側にはヒンジロッドが対称的に、且つヒンジにより連結され、前記スライドチャンバの上下両側には開口の部分が前記昇降チャンバから離れている伸縮チャンバが対称的に、且つ連通するように設置され、前記伸縮チャンバの中には連動ロッドがスライドできるように設置され、前側の前記ヒンジロッドが上側の前記連動ロッドにヒンジにより連結され、後側の前記ヒンジロッドが下側の前記連動ロッドにヒンジにより連結され、前記ヒンジロッドと前記連動ロッドとのヒンジにより連結されたところには回転軸が前後に貫通するように設置され、前記ヒンジロッドが前記回転軸により前記連動ロッドを連動させて前記スライドチャンバから離れている方向へ移動させることができ、前記伸縮チャンバの前後壁にはガイドスライド溝が対称的に、且つ連通するように設置され、前記ガイドスライド溝の中にはガイドスライドブロックが上下にスライドできるように設置され、前記ガイドスライドブロックのうち前記スライドチャンバから離れている一端と前記ガイドスライド溝の内壁との間には復帰ばねが固定的に連結され、前記回転軸の前後端が前後両側の前記ガイドスライドブロックに固定的に連結されていることを特徴とする請求項１に記載の安定的に挟持できる３Ｄ眼鏡。
【請求項３】
前記挟み装置は前記連動ロッドのうち対称中心から離れている一端に固定的に設置されたフレームを含み、上側の前記フレームの前端には下方へ曲がっている上挟み板が固定的に設置され、下側の前記フレームの前端には上方へ曲がっている下挟み板が固定的に設置され、まず前記上挟み板と前記下挟み板とを上下両側へ開け、次に前記上挟み板と前記下挟み板とを眼鏡の上下両端に挟み、上側の前記フレームの下端面には掛けブロックが左右対称的に、且つ固定的に設置され、前記掛けブロックの相対している側の端面の間には固定軸が固定的に設置され、前記固定軸には反転ブロックが回転できるように設置され、前記反転ブロックの下端にはリムが固定的に設置され、前記リムの下端にはレンズが固定的に設置され、左右両側の前記リムのうち対称中心に近接している一端の間にはブリッジが固定的に設置されていることを特徴とする請求項１に記載の安定的に挟持できる３Ｄ眼鏡。
【発明の詳細な説明】
【技術分野】
【０００１】
本発明は眼鏡技術分野を取り上げて、具体的には安定的に挟持できる３Ｄ眼鏡である。
【背景技術】
【０００２】
３Ｄ映画を見る時、近視の人の使用需要を満足させるため、偏光式３Ｄ眼鏡を眼鏡に挟持して使用でき、しかし映画館で使用されたのは眼鏡の上端だけに挟持し、一定の程度できつく挟む３Ｄ眼鏡であり、滑りやすいだけではなく、弾き飛ばされやすく、そのため、安定的に挟持できる３Ｄ眼鏡が必要となり、本装置が眼鏡の上下両端をきつく挟むことができ、眼鏡にしっかりと挟持され、落ちることを避け、同時に使用も便利である。
【先行技術文献】
【特許文献】
【０００３】
【特許文献１】中国特許出願公開第103676170号明細書
【発明の概要】
【発明が解決しようとする課題】
【０００４】
本発明は安定的に挟持できる３Ｄ眼鏡を提供し、従来技術における上記欠点を解消することを目的とする。
【課題を解決するための手段】
【０００５】
本発明の安定的に挟持できる３Ｄ眼鏡は、中間部を含み、前記中間部の中には押し装置が設置され、前記押し装置の左右両側には伸展装置が対称的に設置され、前記中間部の左右両側には挟み装置が対称的に設置され、手動で前記押し装置を押し、また前記伸展装置により前記挟み装置を連動させて上下両側へ分け、そして前記挟み装置により眼鏡の上下両端をきつく挟み、前記押し装置は前記中間部の中に設置された昇降チャンバを含み、前記昇降チャンバの中には昇降ブロックがスライドできるように設置され、前記昇降ブロックの下端面の左右両端には第一斜面が設置され、前記昇降ブロックの下端の中間と前記昇降チャンバの下壁との間には押圧ばねが固定的に連結され、前記昇降チャンバの上壁には上方へ開口した開口チャンバが連通するように設置され、前記昇降ブロックの上端には前記開口チャンバを通過している固定ロッドが固定的に設置され、前記固定ロッドの上端が外部空間まで伸びており、且つ前記固定ロッドの上端にはボタンが固定的に設置され、前記昇降チャンバの左右両側の内壁にはスライドチャンバが対称的に連通するように設置され、前記スライドチャンバの中には推しロッドがスライドできるように設置され、前記推しロッドの相対した一端が前記昇降チャンバの中まで伸びており、且つ前記推しロッドの相対した一端には前記第一斜面と傾斜度が同じである第二斜面が設置され、前記第一斜面は下降すると前記第二斜面に当接して且つ前記推しロッドを推し動かすことができる。
【０００６】
更の技術プランとしては、前記伸展装置は前記推しロッドのうち中心から離れている一端に固定的に設置された固定ブロックを含み、前記固定ブロックの前後両側にはヒンジロッドが対称的に、且つヒンジにより連結され、前記スライドチャンバの上下両側には開口の部分が前記昇降チャンバから離れている伸縮チャンバが対称的に、且つ連通するように設置され、前記伸縮チャンバの中には連動ロッドがスライドできるように設置され、前側の前記ヒンジロッドが上側の前記連動ロッドにヒンジにより連結され、後側の前記ヒンジロッドが下側の前記連動ロッドにヒンジにより連結され、前記ヒンジロッドと前記連動ロッドとのヒンジにより連結されたところには回転軸が前後に貫通するように設置され、前記ヒンジロッドが前記回転軸により前記連動ロッドを連動させて前記スライドチャンバから離れている方向へ移動させることができ、前記伸縮チャンバの前後壁にはガイドスライド溝が対称的に、且つ連通するように設置され、前記ガイドスライド溝の中にはガイドスライドブロックが上下にスライドできるように設置され、前記ガイドスライドブロックのうち前記スライドチャンバから離れている一端と前記ガイドスライド溝の内壁との間には復帰ばねが固定的に連結され、前記回転軸の前後端が前後両側の前記ガイドスライドブロックに固定的に連結されている。
【０００７】
更の技術プランとしては、前記挟み装置は前記連動ロッドのうち対称中心から離れている一端に固定的に設置されたフレームを含み、上側の前記フレームの前端には下方へ曲がっている上挟み板が固定的に設置され、下側の前記フレームの前端には上方へ曲がっている下挟み板が固定的に設置され、まず前記上挟み板と前記下挟み板とを上下両側へ開け、次に前記上挟み板と前記下挟み板とを眼鏡の上下両端に挟み、上側の前記フレームの下端面には掛けブロックが左右対称的に、且つ固定的に設置され、前記掛けブロックの相対している側の端面の間には固定軸が固定的に設置され、前記固定軸には反転ブロックが回転できるように設置され、前記反転ブロックの下端にはリムが固定的に設置され、前記リムの下端にはレンズが固定的に設置され、左右両側の前記リムのうち対称中心に近接している一端の間にはブリッジが固定的に設置され、片側の前記リムを反転させる時、前記ブリッジによりもう一つの側の前記リムを同期反転させることができる。
【発明の効果】
【０００８】
本発明の有益効果は：本発明は構成が簡単で、操作が便利で、本装置によって眼鏡の上下両端をきつく挟むことができ、眼鏡にしっかりと挟持され、落ちることを避け、同時に使用も便利である。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の安定的に挟持できる３Ｄ眼鏡の内部全体構成模式図
【図２】図２は図１の「Ａ―Ａ」方向の構成模式図
【図３】図３は図１の「Ｂ」の拡大模式図
【図４】図４は図３の「Ｃ―Ｃ」方向の構成模式図
【図５】図５は図１の「Ｄ―Ｄ」方向の構成模式図
【発明を実施するための形態】
【００１１】
図１〜５を参照し、本発明の実施例の安定的に挟持できる３Ｄ眼鏡は、中間部１１を含み、前記中間部１１の中には押し装置１０１が設置され、前記押し装置１０１の左右両側には伸展装置１０２が対称的に設置され、前記中間部１１の左右両側には挟み装置１０３が対称的に設置され、手動で前記押し装置１０１を押し、また前記伸展装置１０２により前記挟み装置１０３を連動させて上下両側へ分け、そして前記挟み装置１０３により眼鏡の上下両端をきつく挟み、前記押し装置１０１は前記中間部１１の中に設置された昇降チャンバ１２を含み、前記昇降チャンバ１２の中には昇降ブロック１３がスライドできるように設置され、前記昇降ブロック１３の下端面の左右両端には第一斜面１４が設置され、前記昇降ブロック１３の下端の中間と前記昇降チャンバ１２の下壁との間には押圧ばね１５が固定的に連結され、前記昇降チャンバ１２の上壁には上方へ開口した開口チャンバ１６が連通するように設置され、前記昇降ブロック１３の上端には前記開口チャンバ１６を通過している固定ロッド１７が固定的に設置され、前記固定ロッド１７の上端が外部空間まで伸びており、且つ前記固定ロッド１７の上端にはボタン１８が固定的に設置され、前記昇降チャンバ１２の左右両側の内壁にはスライドチャンバ１９が対称的に連通するように設置され、前記スライドチャンバ１９の中には推しロッド２０がスライドできるように設置され、前記推しロッド２０の相対した一端が前記昇降チャンバ１２の中まで伸びており、且つ前記推しロッド２０の相対した一端には前記第一斜面１４と傾斜度が同じである第二斜面２１が設置され、前記第一斜面１４は下降すると前記第二斜面２１に当接して且つ前記推しロッド２０を推し動かすことができる。  
【００１２】
有益的には、前記伸展装置１０２は前記推しロッド２０のうち中心から離れている一端に固定的に設置された固定ブロック２９を含み、前記固定ブロック２９の前後両側にはヒンジロッド２３が対称的に、且つヒンジにより連結され、前記スライドチャンバ１９の上下両側には開口の部分が前記昇降チャンバ１２から離れている伸縮チャンバ２２が対称的に、且つ連通するように設置され、前記伸縮チャンバ２２の中には連動ロッド２４がスライドできるように設置され、前側の前記ヒンジロッド２３が上側の前記連動ロッド２４にヒンジにより連結され、後側の前記ヒンジロッド２３が下側の前記連動ロッド２４にヒンジにより連結され、前記ヒンジロッド２３と前記連動ロッド２４とのヒンジにより連結されたところには回転軸２５が前後に貫通するように設置され、前記ヒンジロッド２３が前記回転軸２５により前記連動ロッド２４を連動させて前記スライドチャンバ１９から離れている方向へ移動させることができ、前記伸縮チャンバ２２の前後壁にはガイドスライド溝２６が対称的に、且つ連通するように設置され、前記ガイドスライド溝２６の中にはガイドスライドブロック２７が上下にスライドできるように設置され、前記ガイドスライドブロック２７のうち前記スライドチャンバ１９から離れている一端と前記ガイドスライド溝２６の内壁との間には復帰ばね２８が固定的に連結され、前記回転軸２５の前後端が前後両側の前記ガイドスライドブロック２７に固定的に連結されている。
【００１３】
有益的には、前記挟み装置１０３は前記連動ロッド２４のうち対称中心から離れている一端に固定的に設置されたフレーム３０を含み、上側の前記フレーム３０の前端には下方へ曲がっている上挟み板３２が固定的に設置され、下側の前記フレーム３０の前端には上方へ曲がっている下挟み板３３が固定的に設置され、まず前記上挟み板３２と前記下挟み板３３とを上下両側へ開け、次に前記上挟み板３２と前記下挟み板３３とを眼鏡の上下両端に挟み、上側の前記フレーム３０の下端面には掛けブロック３４が左右対称的に、且つ固定的に設置され、前記掛けブロック３４の相対している側の端面の間には固定軸３５が固定的に設置され、前記固定軸３５には反転ブロック３６が回転できるように設置され、前記反転ブロック３６の下端にはリム３７が固定的に設置され、前記リム３７の下端にはレンズ３８が固定的に設置され、左右両側の前記リム３７のうち対称中心に近接している一端の間にはブリッジ３９が固定的に設置され、片側の前記リム３７を反転させる時、前記ブリッジ３９によりもう一つの側の前記リム３７を同期反転させることができる。
【００１４】
初期状態において、昇降ブロック１３が上限の位置に位置しており、前記推しロッド２０が昇降チャンバ１２の中まで伸びており、上下両側のフレーム３０が互いに近接している。  
【００１５】
眼鏡に挟持される時、ボタン１８を押し、固定ロッド１７により昇降ブロック１３を連動させて推しロッド２０と当接するまで下降させ、継続して下降させて推しロッド２０を推し動かして互いに離れさせ、固定ブロック２９によりヒンジロッド２３のうちスライドチャンバ１９の中に位置している一端を推し動かして昇降チャンバ１２から離れている方向へ移動させ、この時にヒンジロッド２３が上下両側の連動ロッド２４を推し動かして互いに離れさせ、更にフレーム３０により上挟み板３２と下挟み板３３とを連動させて互いに離れさせ、この時に上挟み板３２と下挟み板３３とを眼鏡の上下両端に挟持し、レンズ３８を反転させる時、手でリム３７を外側へ反転させる。
【００１６】
本発明の有益効果は：本発明は構成が簡単で、操作が便利で、本装置によって眼鏡の上下両端をきつく挟むことができ、眼鏡にしっかりと挟持され、落ちることを避け、同時に使用も便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020184056.tif 000003
【図２】
2020184056.tif 000004
【図３】
2020184056.tif 000005
【図４】
2020184056.tif 000006
【図５】
2020184056.tif 000007
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
正面視で、中間部を含み、前記中間部の中には押し装置が設置され、前記押し装置の左右両側には伸展装置が対称的に設置され、前記中間部の左右両側には挟み装置が対称的に設置され、手動で前記押し装置を押し、また前記伸展装置により前記挟み装置を連動させて上下両側へ分け、そして前記挟み装置により眼鏡の上下両端をきつく挟み、前記押し装置は前記中間部の中に設置された昇降チャンバを含み、前記昇降チャンバの中には昇降ブロックがスライドできるように設置され、前記昇降ブロックの下端面の左右両端には第一斜面が設置され、前記昇降ブロックの下端の中間と前記昇降チャンバの下壁との間には押圧ばねが固定的に連結され、前記昇降チャンバの上壁には上方へ開口した開口穴が連通するように設置され、前記昇降ブロックの上端には前記開口穴を通過している固定ロッドが固定的に設置され、前記固定ロッドの上端が外部空間まで伸びており、且つ前記固定ロッドの上端にはボタンが固定的に設置され、前記昇降チャンバの左右両側の内壁にはスライドチャンバが対称的に連通するように設置され、前記スライドチャンバの中には推しロッドがスライドできるように設置され、前記推しロッドの相対した一端が前記昇降チャンバの中まで伸びており、且つ前記推しロッドの相対した一端には前記第一斜面と傾斜度が同じである第二斜面が設置され、前記第一斜面は下降すると前記第二斜面に当接して且つ前記推しロッドを推し動かすことができることを特徴とする安定的に挟持できる３Ｄ眼鏡。
【請求項２】
前記伸展装置は前記推しロッドのうち中心から離れている一端に固定的に設置された固定ブロックを含み、前記固定ブロックの前後両側にはヒンジロッドが対称的に、且つヒンジにより連結され、前記スライドチャンバの上下両側に伸縮チャンバが前記スライドチャンバと連通するように且つ対称的に設置され、左側あるいは右側に位置する前記伸縮チャンバが前記昇降チャンバから離れている側へ開口しており、前記伸縮チャンバの中には連動ロッドがスライドできるように設置され、前側の前記ヒンジロッドが上側の前記連動ロッドにヒンジにより連結され、後側の前記ヒンジロッドが下側の前記連動ロッドにヒンジにより連結され、前記ヒンジロッドと前記連動ロッドとのヒンジにより連結されたところには回転軸が前後に貫通するように設置され、前記ヒンジロッドが前記回転軸により前記連動ロッドを連動させて前記スライドチャンバから離れている方向へ移動させることができ、前記伸縮チャンバの前後壁にはガイドスライド溝が対称的に、且つ連通するように設置され、前記ガイドスライド溝の中にはガイドスライドブロックが上下にスライドできるように設置され、前記ガイドスライドブロックのうち前記スライドチャンバから離れている一端と前記ガイドスライド溝の内壁との間には復帰ばねが固定的に連結され、前記回転軸の前後端が前後両側の前記ガイドスライドブロックに固定的に連結されていることを特徴とする請求項１に記載の安定的に挟持できる３Ｄ眼鏡。
【請求項３】
前記挟み装置は前記連動ロッドのうち対称中心から離れている一端に固定的に設置されたフレームを含み、上側の前記フレームの前端には下方へ曲がっている上挟み板が固定的に設置され、下側の前記フレームの前端には上方へ曲がっている下挟み板が固定的に設置され、まず前記上挟み板と前記下挟み板とを上下両側へ開け、次に前記上挟み板と前記下挟み板とを眼鏡の上下両端に挟み、上側の前記フレームの下端面には掛けブロックが左右対称的に、且つ固定的に設置され、前記掛けブロックの相対している側の端面の間には固定軸が固定的に設置され、前記固定軸には反転ブロックが回転できるように設置され、前記反転ブロックの下端にはリムが固定的に設置され、前記リムの下端にはレンズが固定的に設置され、左右両側の前記リムのうち対称中心に近接している一端の間にはブリッジが固定的に設置されていることを特徴とする請求項２に記載の安定的に挟持できる３Ｄ眼鏡。
【手続補正２】
【補正対象書類名】明細書
【補正対象項目名】全文
【補正方法】変更
【補正の内容】
【発明の詳細な説明】
【技術分野】
【０００１】
本発明は眼鏡技術分野を取り上げて、具体的には安定的に挟持できる３Ｄ眼鏡である。
【背景技術】
【０００２】
３Ｄ映画を見る時、近視の人の使用需要を満足させるため、偏光式３Ｄ眼鏡を眼鏡に挟持して使用でき、しかし映画館で使用されたのは眼鏡の上端だけに挟持し、一定の程度できつく挟む３Ｄ眼鏡であり、滑りやすいだけではなく、弾き飛ばされやすく、そのため、安定的に挟持できる３Ｄ眼鏡が必要となり、本装置が眼鏡の上下両端をきつく挟むことができ、眼鏡にしっかりと挟持され、落ちることを避け、同時に使用も便利である。
【先行技術文献】
【特許文献】
【０００３】
【特許文献１】中国特許出願公開第１０３６７６１７０号明細書
【発明の概要】
【発明が解決しようとする課題】
【０００４】
本発明は安定的に挟持できる３Ｄ眼鏡を提供し、従来技術における上記欠点を解消することを目的とする。
【課題を解決するための手段】
【０００５】
本発明の安定的に挟持できる３Ｄ眼鏡は、中間部を含み、前記中間部の中には押し装置が設置され、前記押し装置の左右両側には伸展装置が対称的に設置され、前記中間部の左右両側には挟み装置が対称的に設置され、手動で前記押し装置を押し、また前記伸展装置により前記挟み装置を連動させて上下両側へ分け、そして前記挟み装置により眼鏡の上下両端をきつく挟み、前記押し装置は前記中間部の中に設置された昇降チャンバを含み、前記昇降チャンバの中には昇降ブロックがスライドできるように設置され、前記昇降ブロックの下端面の左右両端には第一斜面が設置され、前記昇降ブロックの下端の中間と前記昇降チャンバの下壁との間には押圧ばねが固定的に連結され、前記昇降チャンバの上壁には上方へ開口した開口穴が連通するように設置され、前記昇降ブロックの上端には前記開口穴を通過している固定ロッドが固定的に設置され、前記固定ロッドの上端が外部空間まで伸びており、且つ前記固定ロッドの上端にはボタンが固定的に設置され、前記昇降チャンバの左右両側の内壁にはスライドチャンバが対称的に連通するように設置され、前記スライドチャンバの中には推しロッドがスライドできるように設置され、前記推しロッドの相対した一端が前記昇降チャンバの中まで伸びており、且つ前記推しロッドの相対した一端には前記第一斜面と傾斜度が同じである第二斜面が設置され、前記第一斜面は下降すると前記第二斜面に当接して且つ前記推しロッドを推し動かすことができる。
【０００６】
更の技術プランとしては、前記伸展装置は前記推しロッドのうち中心から離れている一端に固定的に設置された固定ブロックを含み、前記固定ブロックの前後両側にはヒンジロッドが対称的に、且つヒンジにより連結され、前記スライドチャンバの上下両側に伸縮チャンバが前記スライドチャンバと連通するように且つ対称的に設置され、左側にあるいは右側に位置する前記伸縮チャンバが前記昇降チャンバから離れている側へ開口しており、前記伸縮チャンバの中には連動ロッドがスライドできるように設置され、前側の前記ヒンジロッドが上側の前記連動ロッドにヒンジにより連結され、後側の前記ヒンジロッドが下側の前記連動ロッドにヒンジにより連結され、前記ヒンジロッドと前記連動ロッドとのヒンジにより連結されたところには回転軸が前後に貫通するように設置され、前記ヒンジロッドが前記回転軸により前記連動ロッドを連動させて前記スライドチャンバから離れている方向へ移動させることができ、前記伸縮チャンバの前後壁にはガイドスライド溝が対称的に、且つ連通するように設置され、前記ガイドスライド溝の中にはガイドスライドブロックが上下にスライドできるように設置され、前記ガイドスライドブロックのうち前記スライドチャンバから離れている一端と前記ガイドスライド溝の内壁との間には復帰ばねが固定的に連結され、前記回転軸の前後端が前後両側の前記ガイドスライドブロックに固定的に連結されている。
【０００７】
更の技術プランとしては、前記挟み装置は前記連動ロッドのうち対称中心から離れている一端に固定的に設置されたフレームを含み、上側の前記フレームの前端には下方へ曲がっている上挟み板が固定的に設置され、下側の前記フレームの前端には上方へ曲がっている下挟み板が固定的に設置され、まず前記上挟み板と前記下挟み板とを上下両側へ開け、次に前記上挟み板と前記下挟み板とを眼鏡の上下両端に挟み、上側の前記フレームの下端面には掛けブロックが左右対称的に、且つ固定的に設置され、前記掛けブロックの相対している側の端面の間には固定軸が固定的に設置され、前記固定軸には反転ブロックが回転できるように設置され、前記反転ブロックの下端にはリムが固定的に設置され、前記リムの下端にはレンズが固定的に設置され、左右両側の前記リムのうち対称中心に近接している一端の間にはブリッジが固定的に設置され、片側の前記リムを反転させる時、前記ブリッジによりもう一つの側の前記リムを同期反転させることができる。
【発明の効果】
【０００８】
本発明の有益効果は：本発明は構成が簡単で、操作が便利で、本装置によって眼鏡の上下両端をきつく挟むことができ、眼鏡にしっかりと挟持され、落ちることを避け、同時に使用も便利である。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の安定的に挟持できる３Ｄ眼鏡の内部全体構成模式図
【図２】図２は図１の「Ａ―Ａ」方向の構成模式図
【図３】図３は図１の「Ｂ」の拡大模式図
【図４】図４は図３の「Ｃ―Ｃ」方向の構成模式図
【図５】図５は図１の「Ｄ―Ｄ」方向の構成模式図
【発明を実施するための形態】
【００１１】
図１〜５を参照し、本発明の実施例の安定的に挟持できる３Ｄ眼鏡は、中間部１１を含み、前記中間部１１の中には押し装置１０１が設置され、前記押し装置１０１の左右両側には伸展装置１０２が対称的に設置され、前記中間部１１の左右両側には挟み装置１０３が対称的に設置され、手動で前記押し装置１０１を押し、また前記伸展装置１０２により前記挟み装置１０３を連動させて上下両側へ分け、そして前記挟み装置１０３により眼鏡の上下両端をきつく挟み、前記押し装置１０１は前記中間部１１の中に設置された昇降チャンバ１２を含み、前記昇降チャンバ１２の中には昇降ブロック１３がスライドできるように設置され、前記昇降ブロック１３の下端面の左右両端には第一斜面１４が設置され、前記昇降ブロック１３の下端の中間と前記昇降チャンバ１２の下壁との間には押圧ばね１５が固定的に連結され、前記昇降チャンバ１２の上壁には上方へ開口した開口穴１６が連通するように設置され、前記昇降ブロック１３の上端には前記開口穴１６を通過している固定ロッド１７が固定的に設置され、前記固定ロッド１７の上端が外部空間まで伸びており、且つ前記固定ロッド１７の上端にはボタン１８が固定的に設置され、前記昇降チャンバ１２の左右両側の内壁にはスライドチャンバ１９が対称的に連通するように設置され、前記スライドチャンバ１９の中には推しロッド２０がスライドできるように設置され、前記推しロッド２０の相対した一端が前記昇降チャンバ１２の中まで伸びており、且つ前記推しロッド２０の相対した一端には前記第一斜面１４と傾斜度が同じである第二斜面２１が設置され、前記第一斜面１４は下降すると前記第二斜面２１に当接して且つ前記推しロッド２０を推し動かすことができる。  
【００１２】
有益的には、前記伸展装置１０２は前記推しロッド２０のうち中心から離れている一端に固定的に設置された固定ブロック２９を含み、前記固定ブロック２９の前後両側にはヒンジロッド２３が対称的に、且つヒンジにより連結され、前記スライドチャンバ１９の上下両側に伸縮チャンバ２２が前記スライドチャンバと連通するように且つ対称的に設置され、左側にあるいは右側に位置する前記伸縮チャンバ２２が前記昇降チャンバ１２から離れている側へ開口しており、前記伸縮チャンバ２２の中には連動ロッド２４がスライドできるように設置され、前側の前記ヒンジロッド２３が上側の前記連動ロッド２４にヒンジにより連結され、後側の前記ヒンジロッド２３が下側の前記連動ロッド２４にヒンジにより連結され、前記ヒンジロッド２３と前記連動ロッド２４とのヒンジにより連結されたところには回転軸２５が前後に貫通するように設置され、前記ヒンジロッド２３が前記回転軸２５により前記連動ロッド２４を連動させて前記スライドチャンバ１９から離れている方向へ移動させることができ、前記伸縮チャンバ２２の前後壁にはガイドスライド溝２６が対称的に、且つ連通するように設置され、前記ガイドスライド溝２６の中にはガイドスライドブロック２７が上下にスライドできるように設置され、前記ガイドスライドブロック２７のうち前記スライドチャンバ１９から離れている一端と前記ガイドスライド溝２６の内壁との間には復帰ばね２８が固定的に連結され、前記回転軸２５の前後端が前後両側の前記ガイドスライドブロック２７に固定的に連結されている。
【００１３】
有益的には、前記挟み装置１０３は前記連動ロッド２４のうち対称中心から離れている一端に固定的に設置されたフレーム３０を含み、上側の前記フレーム３０の前端には下方へ曲がっている上挟み板３２が固定的に設置され、下側の前記フレーム３０の前端には上方へ曲がっている下挟み板３３が固定的に設置され、まず前記上挟み板３２と前記下挟み板３３とを上下両側へ開け、次に前記上挟み板３２と前記下挟み板３３とを眼鏡の上下両端に挟み、上側の前記フレーム３０の下端面には掛けブロック３４が左右対称的に、且つ固定的に設置され、前記掛けブロック３４の相対している側の端面の間には固定軸３５が固定的に設置され、前記固定軸３５には反転ブロック３６が回転できるように設置され、前記反転ブロック３６の下端にはリム３７が固定的に設置され、前記リム３７の下端にはレンズ３８が固定的に設置され、左右両側の前記リム３７のうち対称中心に近接している一端の間にはブリッジ３９が固定的に設置され、片側の前記リム３７を反転させる時、前記ブリッジ３９によりもう一つの側の前記リム３７を同期反転させることができる。
【００１４】
初期状態において、昇降ブロック１３が上限の位置に位置しており、前記推しロッド２０が昇降チャンバ１２の中まで伸びており、上下両側のフレーム３０が互いに近接している。  
【００１５】
眼鏡に挟持される時、ボタン１８を押し、固定ロッド１７により昇降ブロック１３を連動させて推しロッド２０と当接するまで下降させ、継続して下降させて推しロッド２０を推し動かして互いに離れさせ、固定ブロック２９によりヒンジロッド２３のうちスライドチャンバ１９の中に位置している一端を推し動かして昇降チャンバ１２から離れている方向へ移動させ、この時にヒンジロッド２３が上下両側の連動ロッド２４を推し動かして互いに離れさせ、更にフレーム３０により上挟み板３２と下挟み板３３とを連動させて互いに離れさせ、この時に上挟み板３２と下挟み板３３とを眼鏡の上下両端に挟持し、レンズ３８を反転させる時、手でリム３７を外側へ反転させる。
【００１６】
本発明の有益効果は：本発明は構成が簡単で、操作が便利で、本装置によって眼鏡の上下両端をきつく挟むことができ、眼鏡にしっかりと挟持され、落ちることを避け、同時に使用も便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。